(57)【特許請求の範囲】
【請求項１】
エレベーターの乗場壁の貫通開口部に設けられた乗場器具の箱体と、
上記箱体に取り付けられた際に、上記箱体及び上記貫通開口部を覆って上記乗場壁に配置される上記乗場器具の表板と、
上記箱体及び上記表板間に設けられ、上記表板を上記乗場壁から浮き上がった状態に配置する仮設具と、
エレベーターの昇降路のピット底部に設けられた排水ポンプ装置と、
一端が上記排水ポンプ装置に接続されて上記貫通開口部に挿通され、他端が上記昇降路外に配置された排水管路と
を備えたエレベーターの昇降路装置。
【請求項２】
排水管路を、乗場壁の貫通開口部に設けられた乗場器具の箱体を挿通して配置したことを特徴とする請求項１記載のエレベーターの昇降路装置。
【請求項３】
排水管路を、乗場壁の貫通開口部に設けられた乗場器具の箱体と上記貫通開口部の縁部との間を挿通して配置したことを特徴とする請求項１記載のエレベーターの昇降路装置。
【請求項４】
排水管路が挿通される貫通開口部の縁部の昇降路内側に丸みを設けたことを特徴とする請求項３記載のエレベーターの昇降路装置。
【請求項５】
排水管路の乗場側端部に設けられて貫通開口部に配置された接続具と、要時に上記排水管路に上記接続具を介して接続される外部排水ホースとを備えたことを特徴とする請求項１〜請求項３のいずれか一つに記載のエレベーターの昇降路装置。
【請求項６】
エレベーターの乗場壁に設けられた乗場器具と、
エレベーターの昇降路のピット底部に設けられた排水ポンプ装置と、
一端が上記排水ポンプ装置に接続され、上記乗場器具装着部の上記乗場壁の貫通開口部に挿通された排水管路と、
上記排水管路の他端に設けられ、上記貫通開口部に配置された接続具と、
要時に上記排水配管に上記接続具を介して接続される外部排水ホースと
を備えたエレベーターの昇降路装置。
【発明の詳細な説明】
【０００１】
【発明の属する技術分野】
この発明は、ピットが設けられた昇降路をかごが昇降するエレベーターの昇降路装置に関する。
【０００２】
【従来の技術】
図１１及び図１２は、従来のエレベーターの昇降路装置を示す図で、図１１は要部縦断面図、図１２は図１１の乗場の正面図である。図において、１は昇降路、２は昇降路１の下端に設けられたピット、３は昇降路１に構成された乗場で、出入口を形成する三方枠４、出入口を開閉する引き戸５及び乗場の壁６に設けられた乗場釦、乗場位置表示器等の乗場器具７が設けられている。
【０００３】
８はピット２の底面９に設置された巻上機で、図示が省略してあるが主索を介してかご等の昇降体を昇降させる。１０はピット２の底面９に設置されてかご等に対向して配置された緩衝器、１１は水害時等に乗場３から引き戸５との隙間を経てピット２に浸入した浸水である。
【０００４】
上記のように構成されたエレベーターの昇降路装置に対して、エレベーターの据付工事中において建物（図示しない）の雨仕舞いが完成していない場合が多く、このときに乗場３等から昇降路１のピット２に浸水１１が生じることがある。そして、浸水１１によりピット２に設置された巻上機８、緩衝器１０等の機器に水損が発生することが考えられる。
【０００５】
【発明が解決しようとする課題】
上記のようなエレベーターの昇降路装置における昇降路１のピット２に浸水１１が生じたときに、水損機器の修復のために多大の費用と時間が掛かる。また、ピット２の浸水１１を排水するときに、排水ホースをピット２から乗場３へ引き出す場所がなく、排水作業に手間取るという問題点があった。
【０００６】
この発明は、かかる問題点を解消するためになされたものであり、昇降路ピットに浸水したときに容易に排水できるエレベーターの昇降路装置を得ることを目的とする。
【０００７】
【課題を解決するための手段】
この発明に係るエレベーターの昇降路装置においては、乗場及びその乗場の壁に乗場器具が設けられた昇降路と、この昇降路のピット底部に設けられた排水ポンプ装置と、一端が排水ポンプ装置に接続されて乗場器具装着部の乗場の壁の貫通開口部に挿通され、他端が昇降路外に配置された排水管路とが設けられる。
【０００８】
また、この発明に係るエレベーターの昇降路装置においては、乗場壁の貫通開口部に装着された乗場器具の箱体に挿通された排水管路が設けられる。
【０００９】
また、この発明に係るエレベーターの昇降路装置においては、乗場壁の貫通開口部に装着された乗場器具の箱体と貫通開口部の縁部との間に挿通された排水管路が設けられる。
【００１０】
また、この発明に係るエレベーターの昇降路装置においては、排水管路が挿通される貫通開口部の縁部の昇降路内側に丸みが設けられる。
【００１１】
【課題を解決するための手段】
この発明に係るエレベーターの昇降路装置においては、エレベーターの乗場壁の貫通開口部に設けられた乗場器具の箱体と、箱体に取り付けられた際に、箱体及び貫通開口部を覆って乗場壁に配置される乗場器具の表板と、箱体及び表板間に設けられ、表板を乗場壁から浮き上がった状態に配置する仮設具と、エレベーターの昇降路のピット底部に設けられた排水ポンプ装置と、一端が排水ポンプ装置に接続されて貫通開口部に挿通され、他端が昇降路外に配置された排水管路とが設けられる。
【００１２】
また、この発明に係るエレベーターの昇降路装置においては、エレベーターの乗場壁に設けられた乗場器具と、エレベーターの昇降路のピット底部に設けられた排水ポンプ装置と、一端が排水ポンプ装置に接続され、乗場器具装着部の乗場壁の貫通開口部に挿通された排水管路と、排水管路の他端に設けられ、貫通開口部に配置された接続具と、要時に排水配管に接続具を介して接続される外部排水ホースとが設けられる。
【００１３】
【発明の実施の形態】
実施の形態１．
図１〜図４は、この発明の実施の形態の一例を示す図で、図１は要部縦断面図、図２は図１のＡ部拡大図、図３は図１の昇降路内の側面図、図４は図１の昇降路装置機器の電気回路図である。図において、１は昇降路、２は昇降路１の下端に設けられたピット、３は昇降路１に構成された乗場で、出入口を形成する三方枠４、出入口を開閉する引き戸５、乗場の壁６に設けられた貫通開口部１２及び貫通開口部１２に設けられた乗場釦、乗場位置表示器等の乗場器具７が装備されている。
【００１４】
８はピット２の底面９に設置された巻上機で、図示が省略してあるが主索を介してかご等の昇降体を昇降させる。１０はピット２の底面９に設置されてかご等に対向して配置された緩衝器、１３はピット２の底面９に設置された台板、１４は台板１３に設けられた排水ポンプ装置で、電動機１５及び電動機１５によって駆動されるポンプ１６によって構成されている。
【００１５】
１７は台板１３に設けられたフロートスイッチ、１８は乗場器具７の箱体、１９は箱体１８及び貫通開口部１２を覆って配置される乗場器具７の表板、２０は表板１９に設けられた押し釦、２１は押し釦２０のリード線である。２２は排水ホースからなる排水管路で、一端が排水ポンプ装置１４に接続されて乗場器具７装着部の乗場３の壁６の貫通開口部１２に挿通されると共に箱体１８に挿通されて他端は昇降路１外に配置されている。
【００１６】
２３は排水管路２２の排水ホース取付金具、２４は排水管路２２の排水ホースダクトである。また、図４において、２５はフロートスイッチ１７、排水ポンプ装置１４の電動機１５により構成された回路のコンセント、２６はコンセント２５を介して接続された電源、２７は台板１３に排水ポンプ装置１４、フロートスイッチ１７及びコンセント２５が設けられて構成された排水ユニットである。
【００１７】
上記のようなエレベーターの昇降路装置において、エレベーターの据付工事中は乗場器具７の表板１９が図２に示すように仮設された金具１８ａによって壁６面から浮き上がった状態に配置される。また、エレベーターの据付工事中に台風等の水害発生が予想される場合に、排水ユニット２７がピット２の底面９に設置されてコンセント２５に電源２６が接続される。そして、排水管路２２の一端をポンプ１６に接続して中間部を乗場器具７の箱体１８内に挿通し、他端が昇降路１外、すなわち乗場３のホールの適所に延長される。
【００１８】
この状態で、水害発生によって乗場３から引き戸５との隙間を経てピット２に水が浸入すると、フロートスイッチ１７が動作して排水ポンプ装置１４が付勢される。これによって、ピット２の浸水が昇降路１外へ排水されるので、巻上機８等のピット２に設けられた機器の水損発生を未然に防止することができる。
【００１９】
したがって、水損機器の修復のための費用と手数を解消することができる。また、排水管路２２、すなわち排水ホースを容易に所要場所に配置することができるので、難なくピット２の浸水を昇降路１外へ排水することができる。なお、ピット２の浸水の昇降路１外排水が終了すると、フロートスイッチ１７が不動作となり排水ポンプ装置１４が消勢される。
【００２０】
実施の形態２．
図５は、この発明の他の実施の形態の一例を示す図で、前述の図２相当図である。なお、図５の他は前述の図１〜図４の実施の形態と同様にエレベーターの昇降路装置が構成されている。図において、図１〜図４と同符号は相当部分を示し、２８は接続具で、乗場器具７の箱体１８内に開口した排水管路２２の端部に設けられている。２９は接続具２８を介して排水管路２２の端部に要時に接続される外部排水ホースである。
【００２１】
上記のようなエレベーターの昇降路装置において、据付工事中は少なくとも排水管路２２及び接続具２８が常設される。そして、水害発生が予想される場合に前述の図１〜図４の実施の形態と同様な処置がとられると共に、乗場器具７の箱体１８内の接続具２８に外部排水ホース２９が接続される。これにより、ピット２の浸水が昇降路１外へ排水される。したがって、詳細な説明を省略するが図５の実施の形態においても図１〜図４の実施の形態と同様な作用が得られる。
このため、水害対策時の手間を省くことができる。また、排水ユニット２７、排水路２２及び接続具２８をエレベーターの完成後の通常運転開始後においても常備して水害に備えるようにすることも可能である。
【００２２】
実施の形態３．
図６も、この発明の他の実施の形態の一例を示す図で、前述の図２相当図である。なお、図６の他は前述の図１〜図４の実施の形態と同様にエレベーターの昇降路装置が構成されている。図において、図１〜図４と同符号は相当部分を示し、３０はリンク式の支持機構で、一側が乗場器具７の箱体１８の内部上面に装着され、他側は乗場器具７の表板１９裏面上部に装着され、常時は箱体１８の開口部を覆う位置に表板１９を保持し、要時には図６に示すように表板１９を上方に回動した状態に保持する。
【００２３】
上記のようなエレベーターの昇降路装置において、そして、水害発生が予想される場合に表板１９を図６に示すように上方に回動した位置に配置し、前述の図１〜図４の実施の形態と同様な処置がとられる。これにより、ピット２の浸水が昇降路１外へ排水される。したがって、詳細な説明を省略するが図６の実施の形態においても図１〜図４の実施の形態と同様な作用が得られる。
【００２４】
実施の形態４．
図７も、この発明の他の実施の形態の一例を示す図で、前述の図２相当図である。なお、図７の他は前述の図１〜図４の実施の形態と同様にエレベーターの昇降路装置が構成されている。図において、図１〜図４と同符号は相当部分を示し、１２は貫通開口部で、下縁部が箱体１８の下端よりも下方に拡張され、また下縁部の昇降路１内側には丸み３１が設けられている。２２は排水ホースからなる排水管路で、箱体１８下端と貫通開口部１２下縁の間に挿通されている。
【００２５】
上記のようなエレベーターの昇降路装置においても、水害発生が予想される場合に前述の図１〜図４の実施の形態と同様な処置がとられる。これにより、ピット２の浸水が昇降路１外へ排水される。したがって、詳細な説明を省略するが図７の実施の形態においても図１〜図４の実施の形態と同様な作用が得られる。また、貫通開口部１２下縁部の昇降路１内側に丸み３１が設けられているので、排水管路２２が滑らかに湾曲して良好な排水作用が得られる。
【００２６】
実施の形態５．
図８も、この発明の他の実施の形態の一例を示す図で、前述の図１相当図である。なお、図８の他は前述の図１〜図４の実施の形態と同様にエレベーターの昇降路装置が構成されている。図において、図１〜図４と同符号は相当部分を示し、１２は貫通開口部で、下縁部が箱体１８の下端よりも下方に拡張されている。２２は排水管路で、一端が箱体１８下端と貫通開口部１２下縁の間に開口し、この開口部に接続具２８が設けられている。２９は接続具２８を介して排水管路２２の端部に要時に接続される外部排水ホースである。
【００２７】
上記のようなエレベーターの昇降路装置において、据付工事中は排水ユニット２７、排水管路２２及び接続具２８が常設される。そして、水害発生が予想される場合に前述の図１〜図４の実施の形態と同様な処置がとられると共に、排水管路２２の接続具２８に外部排水ホース２９が接続される。これにより、ピット２の浸水が昇降路１外へ排水される。
【００２８】
したがって、詳細な説明を省略するが図８の実施の形態においても図１〜図４の実施の形態と同様な作用が得られる。なお、図８の実施の形態において、排水ユニット２７、排水管路２２及び接続具２８が常設されるので、水害発生が予想されるときに外部排水ホース２９を接続することのみによって対策が終了する。このため、水害対策時の手数を省くことができる。また、排水ユニット２７、排水管路２２及び接続具２８をエレベーターの完成後の通常運転開始後においても常備して水害に備えるようにすることも可能である。
【００２９】
実施の形態６．
図９及び図１０も、この発明の他の実施の形態の一例を示す図で、図９はエレベーター乗場の正面図、図１０は図９のＢ−Ｂ線断面拡大図である。なお、図９及び図１０の他は前述の図１〜図４の実施の形態と同様にエレベーターの昇降路装置が構成されている。図において、図１〜図４と同符号は相当部分を示し、３２は貫通開口部で、三方枠４の側枠の下端寄りに設けられている。３３は貫通開口部３２を閉塞する蓋で、図１０において取り外された状況を示し、裏面に弾性脚３４が設けられて貫通開口部３２縁部に着脱自在に構成されている。
【００３０】
上記のようなエレベーターの昇降路装置においても、水害発生が予想される場合に前述の図１〜図４の実施の形態と同様な処置がとられる。すなわち、蓋３３が取り外されて、排水管路２２が貫通開口部３２を経て昇降路１外、すなわち乗場３のホールの適所に延長され、ピット２の浸水が昇降路１外へ排水される。したがって、詳細な説明を省略するが図９及び図１０の実施の形態においても図１
【００３１】
【発明の効果】
この発明は以上説明したように、エレベーターの乗場壁の貫通開口部に設けられた乗場器具の箱体と、箱体に取り付けられた際に、箱体及び貫通開口部を覆って乗場壁に配置される乗場器具の表板と、箱体及び表板間に設けられ、表板を乗場壁から浮き上がった状態に配置する仮設具と、エレベーターの昇降路のピット底部に設けられた排水ポンプ装置と、一端が排水ポンプ装置に接続されて貫通開口部に挿通され、他端が昇降路外に配置された排水管路とを設けたものである。
【００３２】
これによって、水害等によって昇降路のピットに水が浸入すると、排水ポンプ装置の動作によりピットの浸水が排水管路から昇降路外へ排水される。これにより、ピットに設けられたエレベーター機器の水損発生を未然に防止することができる。このため、水損機器の修復のための費用と手数を解消することができ、また排水管路を貫通開口部によって容易に所要場所に配置することができ、ピットの浸水排除を容易化する効果がある。
【００３３】
また、この発明は以上説明したように、乗場壁の貫通開口部に設けられた乗場器具の箱体に挿通された排水管路を設けたものである。
【００３４】
これによって、水害等によって昇降路のピットに水が浸入すると、排水ポンプ装置の動作によりピットの浸水が、乗場器具の箱体に挿通された排水管路から昇降路外へ排水される。これにより、ピットに設けられたエレベーター機器の水損発生を未然に防止することができる。このため、水損機器の修復のための費用と手数を解消することができ、また排水管路を貫通開口部によって容易に所要場所に配置することができ、ピットの浸水排除を容易化する効果がある。
【００３５】
また、この発明は以上説明したように、乗場壁の貫通開口部に設けられた乗場器具箱体の外面と貫通開口部の縁部との間に挿通された排水管路を設けたものである。
【００３６】
これによって、水害等によって昇降路のピットに水が浸入すると、排水ポンプ装置の動作によりピットの浸水が、乗場器具箱体の外面と貫通開口部の縁部の間に挿通された排水管路から昇降路外へ排水される。これにより、ピットに設けられたエレベーター機器の水損発生を未然に防止することができる。このため、水損機器の修復のための費用と手数を解消することができ、また排水管路を貫通開口部によって容易に所要場所に配置することができ、ピットの浸水排除を容易化する効果がある。
【００３７】
また、この発明は以上説明したように、排水管路が挿通される貫通開口部の縁部の昇降路内側に丸みを設けたものである。
【００３８】
これによって、水害等によって昇降路のピットに水が浸入すると、排水ポンプ装置の動作によりピットの浸水が、乗場器具箱体の外面と貫通開口部の縁部の間に挿通された排水管路から昇降路外へ排水される。これにより、ピットに設けられたエレベーター機器の水損発生を未然に防止することができる。このため、水損機器の修復のための費用と手数を解消することができ、また排水管路を貫通開口部によって容易に所要場所に配置することができ、ピットの浸水排除を容易化する効果がある。また、貫通開口部の排水管路に対応した縁部に丸みが設けられているので、排水管路が滑らかに湾曲して良好な排水作用を得る効果がある。
【００３９】
また、この発明は以上説明したように、排水管路の乗場側端部に設けられて貫通開口部に配置された接続具と、要時に排水管路に接続具を介して接続される外部排水ホースとを設けたものである。
【００４０】
これによって、水害等によって昇降路のピットに水が浸入すると、排水ポンプ装置の動作によりピットの浸水が排水管路及び排水管路に接続具を介して接続された外部排水ホースから昇降路外へ排水される。これにより、ピットに設けられたエレベーター機器の水損発生を未然に防止することができる。このため、水損機器の修復のための費用と手数を解消でき、また排水管路を貫通開口部によって容易に所要場所に配置することができ、ピットの浸水排除を容易化する効果がある。
【００４１】
また、この発明は以上説明したように、エレベーターの乗場壁に設けられた乗場器具と、エレベーターの昇降路のピット底部に設けられた排水ポンプ装置と、一端が排水ポンプ装置に接続され、乗場器具装着部の乗場壁の貫通開口部に挿通された排水管路と、排水管路の他端に設けられ、貫通開口部に配置された接続具と、要時に排水配管に接続具を介して接続される外部排水ホースとを設けたものである。
【００４２】
これによって、水害等によって昇降路のピットに水が浸入すると、排水ポンプ装置の動作によりピットの浸水が排水管路及び排水管路に接続具を介して接続された外部排水ホースから昇降路外へ排水される。これにより、ピットに設けられたエレベーター機器の水損発生を未然に防止することができる。このため、水損機器の修復のための費用と手数を解消でき、また排水管路を貫通開口部によって容易に所要場所に配置することができ、ピットの浸水排除を容易化する効果がある。
【図面の簡単な説明】
【図１】  この発明の実施の形態１を示す図で、要部縦断面図。
【図２】  図１のＡ部拡大図。
【図３】  図１の昇降路内の側面図。
【図４】  図１の昇降路装置機器の電気回路図。
【図５】  この発明の実施の形態２を示す図で、前述の図２相当図。
【図６】  この発明の実施の形態３を示す図で、前述の図２相当図。
【図７】  この発明の実施の形態４を示す図で、前述の図２相当図。
【図８】  この発明の実施の形態５を示す図で、前述の図１相当図。
【図９】  この発明の実施の形態６を示す図で、乗場の正面図。
【図１０】  図９のＢ−Ｂ線断面拡大図。
【図１１】  従来のエレベーターの昇降路装置を示す要部縦断面図。
【図１２】  図１１の乗場の正面図。
【符号の説明】
１  昇降路、２  ピット、３  乗場、４  三方枠、６  壁、７  乗場器具、１２  貫通開口部、１４  排水ポンプ装置、１８  箱体、２２  排水管路、２８  接続具、２９  外部排水ホース、３１  丸み、３２  貫通開口部。
【図１】
0004226712.tif 000002
【図２】
0004226712.tif 000003
【図３】
0004226712.tif 000004
【図４】
0004226712.tif 000005
【図５】
0004226712.tif 000006
【図６】
0004226712.tif 000007
【図７】
0004226712.tif 000008
【図８】
0004226712.tif 000009
【図９】
0004226712.tif 000010
【図１０】
0004226712.tif 000011
【図１１】
0004226712.tif 000012
【図１２】
0004226712.tif 000013